(57)【要約】【課題】ユーザが内容物を噴射させる噴射操作部の操作を１回行う毎に、自動的に噴射操作部の操作を規制するロックがかかる噴射ユニットを提供する。【解決手段】容器体２１の上部のバルブ２２に取り付けられ、バルブ２２のステム２３を操作して容器体２１の内容物を噴射させる噴射ユニット１０は、ステム２３に装着され、ユーザの操作により下降する噴射操作部３０と、噴射操作部３０の下降を規制する噴射ロック部４０とを備える。噴射ロック部４０は、噴射操作部３０が下降する動作によって、噴射操作部３０の次回の下降を規制するロック状態の配置に変化する構成である。【選択図】図１
2020029297.tif 000002
【特許請求の範囲】
【請求項１】
容器体の上部のバルブに取り付けられ、前記バルブのステムを操作して前記容器体の内容物を噴射させる噴射ユニットであって、
前記ステムに装着され、ユーザの操作により下降する噴射操作部と、
前記噴射操作部の下降を規制する噴射ロック部とを備え、
前記噴射ロック部は、前記噴射操作部が下降する動作によって、前記噴射操作部の次回の下降を規制するロック状態の配置に変化する構成である
ことを特徴とする噴射ユニット。
【請求項２】
前記噴射ロック部は、第１の爪部と、前記第１の爪部を変位させる機構部とを有し、
前記機構部は、前記噴射操作部が下降する動作により、前記第１の爪部を、前記噴射操作部と前記バルブとの間に挿入する構造である
ことを特徴とする請求項１に記載の噴射ユニット。
【請求項３】
前記機構部は、前記第１の爪部を付勢する弾性体を備え、
前記弾性体は、前記第１の爪部を前記噴射操作部の下部に向かう方向に付勢することを特徴とする請求項２に記載の噴射ユニット。
【請求項４】
前記機構部は、前記第１の爪部に対して所定の角度を成すように連結された第２の爪部と、前記第１および第２の爪部をその連結部において回転可能に支持する回転軸とを備え、
前記第１および前記第２の爪部は、前記ステムがその間に位置するように配置され、
前記第２の爪部が、前記噴射操作部の下降により押されると、前記第１の爪部が前記バルブと前記噴射操作部との間に挟まれる位置に移動することを特徴とする請求項２または３に記載の噴射ユニット。
【請求項５】
前記第２の爪部の上面には、傾斜面が設けられ、前記傾斜面が前記噴射操作部の下降により押されると、前記第２の爪部を前記ステムから遠ざける方向の力を受けることを特徴とする請求項４に記載の噴射ユニット。
【請求項６】
容器体の上部のバルブに取り付けられ、前記バルブのステムを操作して前記容器体の内容物を噴射させる噴射ユニットであって、
前記ステムに装着され、ユーザの操作により下降する噴射操作部と、
所定の角度を成すように連結された第１および第２の爪部と、
前記第１および第２の爪部の連結部を回転可能に支持する回転軸とを有し、
前記第１および第２の爪部は、その間に前記ステムが位置するように配置され、前記第２の爪部は、上面に傾斜面を有し、前記噴射操作部の下降に伴い前記傾斜面が前記噴射操作部により押下されると、前記第２の爪部は、前記ステムから遠ざかる方向に回転移動することにより、前記第１の爪部を前記噴射操作部と前記バルブのマウンテンカップとの間に回転移動させ、前記噴射操作部の下降を阻止するロック状態にすることを特徴とする噴射ユニット。
【請求項７】
前記バルブの外周に嵌合する外筒をさらに備え、
前記回転軸は、前記外筒に固定されていることを特徴とする請求項５または６に記載の噴射ユニット。
【請求項８】
前記回転軸には、前記外筒の外周よりも外側に突出するように操作ツマミが固定され、前記操作ツマミがユーザにより操作されると、前記第１および第２の爪部が回転移動し、ロック状態が解除されることを特徴とする請求項７に記載の噴射ユニット。
【請求項９】
前記操作ツマミには、凹部が設けられ、前記外筒の外周面には、凸部が設けられ、
前記操作ツマミの前記凹部が、前記外筒の前記凸部に係合することで、前記第２の爪部が前記噴射操作部の下部に位置するロック解除状態が維持されることを特徴とする請求項８に記載の噴射ユニット。
【請求項１０】
前記第１の爪部の先端は、先端が折れ曲がった形状であることを特徴とする請求項４から９のいずれか１項に記載の噴射ユニット。
【請求項１１】
上部のバルブを備えた容器体と、前記バルブに取り付けられ、前記バルブのステムを操作して前記容器体の内容物を噴射させる噴射ユニットとを有する噴射容器であって、
前記噴射ユニットは、前記ステムに装着され、ユーザの操作により下降する噴射操作部と、前記噴射操作部の下降を規制する噴射ロック部とを備え、
前記噴射ロック部は、前記噴射操作部が下降する動作によって、前記噴射操作部の次回の下降を規制するロック状態の配置に変化する構成である
ことを特徴とする噴射容器。
【発明の詳細な説明】
【技術分野】
【０００１】
本発明は、エアゾール容器に収容された内容物の噴射を規制する噴射ユニットに関する。
【背景技術】
【０００２】
従来のエアゾール式の噴射容器は、内容物を収容する容器体と、容器体の上部のバルブとを備え、バルブ中央に、下方移動可能で容器体内の空間と外部空間とを連通するステムを有する。ステムには、内容物を噴射させるためにユーザが操作する噴射操作部が装着される。噴射操作部には、ステムの孔に連通する噴射口が設けられている。ユーザが噴射操作部を操作すると、ステムが下降または傾き、容器内の内容物が噴射口から噴射される。
【０００３】
このようなエアゾール式の噴射容器では、鞄の中に噴射容器が入れられている場合など、噴射操作部に何かが触れて噴射操作部が操作されると、内容物が誤噴射される可能性がある。これを防ぐために、噴射操作部の作動を規制する噴射ユニットが提案されている。
【０００４】
例えば特許文献１には、ユーザがノズルを有する噴射操作部（押し下げヘッド）を、エアゾール胴部に取り付けられている外筒に対して回転させることにより、ノズルが、外筒に設けられた溝内に嵌合し、押し下げヘッドが押下げ不能となる噴射ユニットが開示されている。
【０００５】
また特許文献２には、ユーザが押下げヘッドまたはストッパ部材を回転させると、ノズル付きの押下げヘッドが押下げ可能な状態から、押下げ不能な状態になる噴射ユニットが開示されている。具体的には、押し下げヘッドまたはストッパ部材の回転に伴い、押下げヘッドから後方に突設された係合板の下面に、ストッパ部材の起立板の上面が挿入されて係合し、押下げヘッドが押下げ不能な状態となる。
【先行技術文献】
【特許文献】
【０００６】
【特許文献１】特許第３９３６１４４号公報
【特許文献２】特許第３８０５５２６号公報
【発明の概要】
【発明が解決しようとする課題】
【０００７】
特許文献１、２に開示される従来の噴射ユニットは、ユーザの操作によりロック状態とロック解除状態とに変位可能な構成であるため、ユーザが噴射容器をロックし忘れた場合には、内容物が誤噴射される可能性がある。一方、子どもがいたずらに内容物を連続噴射させるのを防止したいという要望もあるが、従来の噴射ユニットでは、噴射容器のロックが解除された状態では、内容物の連続噴射が可能である。
【０００８】
本発明の目的は、ユーザが内容物を噴射させる噴射操作部の操作を１回行う毎に、自動的に噴射操作部の操作を規制するロックがかかる噴射ユニットを提供することにある。
【課題を解決するための手段】
【０００９】
上記目的を達成するために、本発明の噴射ユニットは、容器体の上部のバルブに取り付けられ、バルブのステムを操作して容器体の内容物を噴射させる噴射ユニットであって、ステムに装着され、ユーザの操作により下降する噴射操作部と、噴射操作部の下降を規制する噴射ロック部とを備える。噴射ロック部は、噴射操作部が下降する動作によって、噴射操作部の次回の下降を規制するロック状態の配置に変位する構成である。
【発明の効果】
【００１０】
本発明によれば、ユーザが内容物を噴射させる噴射操作部の操作を１回行う毎に、自動的に噴射操作部の操作を規制するロックをかけることができる。
【図面の簡単な説明】
【００１１】
【図１】実施形態の噴射ユニット１０の動作例を示す（ａ）〜（ｃ）平面図、（ｄ）図１（ａ）のＡ−Ａ断面図、（ｅ）図１（ｂ）のＢ−Ｂ断面図、（ｆ）図１（ｃ）のＣ−Ｃ断面図。
【図２】内容物噴射容器２０の構成例を示す（ａ）斜視図、（ｂ）図２（ａ）のＤ−Ｄ断面図、（ｃ）図２（ｂ）のＥ−Ｅ断面図。
【図３】噴射ロック部４０の斜視図。
【図４】噴射ユニット１０の動作例を示す（ａ）斜視図、（ｂ）図４（ａ）のＦ−Ｆ断面図、（ｃ）Ｂ−Ｂ断面図。
【図５】噴射ユニット１０の動作例を示す（ａ）斜視図、（ｂ）図５（ａ）のＧ−Ｇ断面図、（ｃ）Ｃ−Ｃ断面図。
【発明を実施するための形態】
【００１２】
以下、本発明の一実施の形態の噴射ユニットについて説明する。
【００１３】
まず、図１（ａ）〜（ｆ）を参照して、噴射ユニット１０の主な構成について説明する。
【００１４】
図１（ｄ）に示すように、噴射ユニット１０は、内容物を収納する容器体２１の上部に備えられたバルブ２２に取り付けられる。ユーザは、噴射ユニット１０を操作することにより、噴射ユニット１０を介してバルブ２２のステム２３を押下または傾斜させ、容器体２１の内容物を噴射ユニット１０から所定の方向に噴射させることができる。なお、以下の説明において、上下方向は、容器体２１の底部を下側、バルブ２２が取り付けられている側を上側という。
【００１５】
本実施形態の噴射ユニット１０の構造について説明する。図１（ａ）〜（ｆ）に示すように、噴射ユニット１０は、噴射操作部３０と噴射ロック部４０とを少なくとも備えている。噴射操作部３０はステム２３に装着され、ユーザの操作により下降し、図１（ｂ）、（ｅ）の状態から図１（ｃ）、（ｆ）の状態に変化する。噴射操作部３０の下降に伴って、ステム２３も下降および／または傾斜し、容器２１の内容物は、ステム２３の内部を通って噴出される。このとき、噴射ロック部４０は、噴射操作部３０の下降する動作によって、噴射操作部３０の次回の下降を規制する配置に変化する（図１（ａ）、（ｄ））。すなわち、一旦ユーザが、噴射操作部３０を下降させると、噴射ロック部４０の配置が変化し、噴射ロック部４０によって噴射操作部３０の次回の下降が制限され、ステム２３から内容物を噴射させることのできない噴射ロック状態となる。
【００１６】
このように、本実施形態の噴射ユニット１０は、ユーザが噴射操作部３０を操作して容器体２１の内容物を１回噴射させる毎に、自動的に噴射ロック状態にすることできる。よって、ユーザは、別途ロックのための操作をすることなく、内容物の誤噴射を防止できる。また、噴射１回ごとにロック状態となるため、子どもがいたずらして連続噴射する操作もできなくなる。
【００１７】
噴射ロック部４０の構造としては、例えば、図１（ａ）〜（ｃ）に示したように、第１の爪部４１と、第１の爪部４１を変位させる機構部（後述する第２の爪部４２、弾性体５０など）とを含む構造にすることができる。図１（ｄ）〜（ｆ）に示したように、機構部は、噴射操作部が下降する動作を受けて、第１の爪部４１を噴射操作部３０とその下のバルブ２２のマウンテンカップ２２ｂとの間の空間に挿入し、ロック状態にする。これにより、ユーザが噴射操作部３０を次回下降させようとしても、第１の爪部４１が噴射操作部３０とマウンテンカップ２２ｂとの間に挟まれるため、噴射操作部３０の下降が阻止され、ロックを実現できる。
【００１８】
機構部は、例えば図１（ａ）〜（ｆ）に示したように、第１の爪部４１に対して所定の角度を成すように第１の爪部４１に連結された第２の爪部４２と、第１の爪部４１と第２の爪部４２とを両者の連結部において回転可能に支持する回転軸４３と、第１の爪部４１を噴射操作部３０とマウンテンカップ２２ｂとの間に挿入する方向に付勢する弾性体５０とを含む構成とする。なお、ここでは回転軸４３を用いているが、第１の爪部４１と第２の爪部４２とを移動させることができる構造であれば回転軸以外の構造を採用することも可能である。
【００１９】
ステム２３は、所定の角度で連結された第１の爪部４１と第２の爪部４２との間に位置するように配置されている。また、第２の爪部４２の上面のステム２３寄りの領域は、傾斜面４２ｂになっている。傾斜面４２ｂは、ステム２３に近い側が最も低く、ステム２３から離れるにつれ高くなるように傾斜している。これにより、ステム２３の上部に装着された噴射操作部３０が降下すると、噴射操作部３０の下端３０ｂが傾斜面４２ｂに接触し（図１（ｅ））、噴射操作部３０がさらに下降すると、傾斜面４２ｂは噴射操作部３０からステム２３から遠ざける方向に押す力を受ける。これにより、図１（ｂ）、（ｅ）に矢印Ｙ３で示したように、傾斜面４２ｂを備える第２の爪部４２は、ステム２３から離れる方向に回動する。
【００２０】
第２の爪部４２がステム２３から離れる方向に回動するにつれ、第２の爪部４２に連結されている第１の爪部４１は、ステム２３に近づく方向に回動し、噴射操作部３０とその下のマウンテンカップ２２ｂとの間に挿入され、ロック状態となる。このとき、弾性体５０は、第１の爪部４１をステム２３に近づける方向に付勢する力を加えているため、第１の爪部４１の回動を加速することができる。
【００２１】
また、回転軸４３には、ユーザが操作するための操作ツマミ４４が取り付けられている。ユーザは、操作ツマミ４４を手動で操作して回転軸４３を回転させ、第１の爪部４１が、噴射操作部３０の下部から離れ、第２の爪部４２が噴射操作部３０の下部に挿入された状態に回動させることができる。これにより、ユーザは、ロック状態（図１（ａ）、（ｄ））からロック解除状態（図１（ｂ）、（ｅ））に変化させることができる。
【００２２】
（噴射ユニット１０の詳細な構成例）
以下、本実施形態の噴射ユニット１０の詳細な構成について図２、図３を参照して説明する。なお、図２（ａ）では、噴射操作部３０と噴射ロック部４０の位置関係を説明するために、一部の部材を省略して図示している。
【００２３】
噴射ユニット１０は、上述した噴射操作部３０と噴射ロック部４０の他に、バルブのマウンテンカップの外周に嵌合する外筒６０を備えて構成される。
【００２４】
図２（ａ）〜（ｃ）に示すように、噴射操作部３０は、上面３１ａがユーザによって押下される外筒部３３と、その内側に配置された内筒部３２とを備えた構造である。内筒部３２の内径は、ステム２３の外径と一致したサイズに設計されており、内筒部３２にはステム２３の上端が挿入されて装着される。内筒部３２の内部空間３７は、ステム２３から噴出される内容物の流路となる。外筒部３３は、側面に噴出孔３５を備え、内部には噴出孔３５と内筒部３２の内部空間３７とを連結するため、径方向に沿った流路３６が備えられている。
【００２５】
内筒部３２は、外筒部３３よりも下端が下方に位置しているため、内筒部３２の下端が、第２の爪部４２を押下する下端３０ｂとなっている。
【００２６】
外筒部３３の外周面の噴射口３５側の下端は、外筒６０に樹脂製板バネ３４を介して連結され、外筒６０によって支持されている。これにより、噴射操作部３０は、ユーザにより押下された場合、板バネ３４と外筒６０との連結部を支点（中心）として回動するため、傾斜しながら下降してステム２３を傾斜および下降させる。ユーザが噴射操作部３０から押下する手を離すと、板バネ３４のばね力により、噴射操作部３０は上昇し、元の位置に戻る。このように、板バネ３４を配置したことにより、バルブ２２内のステム２３を押し上げるスプリング２５の負荷を軽減できる。
【００２７】
図２（ａ）、図３に示すように、回転ロック部４０の操作ツマミ４４は、外筒６０の外周よりも外側に突出するように設けられており、操作ツマミ４４の先端は、ユーザが把持して操作しやすい形状をしている。また、操作ツマミ４４の先端には、外筒６０の外周面に係合するための凹部４５が設けられている。一方、外筒６０の外周面には、操作ツマミ４４の凹部４５と係合する形状を有する凸部４６が設けられている。ユーザが、噴射操作部３０を押下する前に、操作ツマミ４４を操作して噴射ロック部４０をロックを解除する方向に移動させると、操作ツマミ４４の凹部４５が外筒６０ｂの凸部４６と係合し、ロック解除状態（図４（ａ），（ｂ））をユーザが噴射操作部３０を押下するまで維持する。
【００２８】
噴射ロック部４０の第１および第２の爪部４１、４２の形状は、上述した通りであるが、さらに詳細を説明すると、図１および図２に示したように、第１および第２の爪部４１、４２の高さは、噴射操作部３０が押下されていない状態（最上部に位置している状態）の噴射操作部３０の下端３０ｂとマウンテンカップ２２ｂとの間の距離とほぼ等しい。また、第１の爪部４１の先端は、爪部４１が噴射操作部３０の下端３０ｂとバルブ２２の上面に挟まれる面積が大きくなるように、爪部４２側に折れ曲がった形状をしている。
【００２９】
噴射ロック部４０の弾性体５０は、その先端が第１の爪部４１の外側に張り出すように基部が回転軸４３に固定された樹脂製の板バネである。弾性体５０の先端は、図１（ａ）のように噴射ロック部４０がロック状態の配置では、外筒６０の内壁に接触しないが、図１（ｂ）のようにロック解除状態の配置になると、外筒の内壁に押し付けられるように、その位置が設計されている。よって、ロック解除状態では、弾性体５０は縮んだ状態であり、ユーザが噴射操作部３０を押下すると、第２の爪部４２が噴射操作部３０により押下されて、第２の爪部４２および第１の爪部４１がロック状態に戻る方向に回動し、弾性体５０は縮んだ状態から開放されることにより、その回動を付勢する。
【００３０】
噴射操作部３０、噴射ロック部４０、外筒６０の材質としては、ポリプロピレン、高度ポリエチレン、ポリアセタール、ポリブチレンテレフタレートなどの樹脂を使用することができる。
【００３１】
なお、弾性体５０は、基部が外筒６０側に固定され、先端がロック解除状態の第１の爪部４１に接触するように配置されていてもよい。また、弾性体５０は板バネに限らず、コイルばねを用いることも可能であり、その場合、弾性体５０を回転軸４３の内部に配置してもよい。
【００３２】
なお、噴射操作部３０は、板バネ３４を介して外筒６０に連結されている構造に限られず、板バネ３４を省略した構造でもよい。また例えば、噴射操作部３０は、ステム２３に装着される部材と、この部材を押下するためのレバーから構成され、ユーザがレバーを押下するとステム２３が下降する構成であってもよい。さらに、噴射操作部３０は、ステム２３に装着される部材と、この部材を押下するためのトリガーから構成され、ユーザがトリガーを引くことでステム２３が下降する構成であってもよい。さらに、噴射口３５の位置は噴射操作部３０の側面に限らず、上面などに設けられていてもよい。
【００３３】
なお、噴射ユニット１０にチャイルドロック機能を持たせるために、強い力で噴射操作部３０を押さないと凸部４６と操作ツマミ４４との係合を解除できないようにしたり、弾性体５０の弾性力を強くして操作ツマミ４４を強い力で操作しないと凸部４６側に回転できないようにしたりしてもよい。
【００３４】
また、噴射ユニット１０は、操作ツマミ４４が凸部４６に係合する度や、その係合が解除される度などに、その回数をカウントするカウンタを有し、内容物の噴射回数をユーザに示してもよい。特に内容物を定量噴射するバルブに噴射ユニット１０が装着される場合、噴射回数を数えるカウンタが設けられていることにより、内容物の噴射量をユーザに提示して、最適な量の内容物を供給することができる。
【００３５】
なお噴射容器２０には、噴射ユニット１０を覆うキャップが着脱可能に設けられてもよい。
【００３６】
（噴射ユニット１０の動作）
以下、本実施形態の噴射ユニット１０の動作の詳細を説明する。なお、図４（ａ）、５（ａ）では、図２（ａ）と同様に、噴射操作部３０と噴射ロック部４０の位置関係を説明するために、一部の部材を省略して図示している。
【００３７】
図１（ａ）、（ｄ）および図２（ａ）〜（ｃ）に示す噴射ロック状態では、噴射操作部３０とステム２３は、押下されておらず、噴射ロック部４０の第１の爪部４１は、噴射操作部３０とマウンテンカップ２２ｂとの間で挟まれる位置に挿入されている。よって、ユーザが噴射操作部３０を押下しても、第１の爪部４１が噴射操作部３０の下降を阻み、ステム２３を押下できるほどには下降できない。このとき、第２の爪部４２はステム２３から最も離れた状態となっている。また、操作ツマミ４４の凹部４５は、凸部４６から最も離れた位置にある。
【００３８】
このような噴射ロック状態から、ユーザが操作ツマミ４４を把持して、図１（ｂ）、（ｅ）、図４（ａ）〜（ｃ）に示すように、回転軸４３を中心に凸部４６側（矢印Ｙ１）に回転させると、第１の爪部４１は、その先端がステム２３から遠ざかる方向に回転移動することにより、噴射操作部３０の下部から外れ、ロック解除状態となる。操作ツマミ４４の凹部４５は、凸部４６に係合する。また、操作ツマミ４４の凸部４６側への回転移動により、第２の爪部４２は、その先端がステム２３に近づく方向に回転移動し、噴射操作部３０とマウンテンカップ２２ｂとの間に挿入される。また、弾性体５０は、先端が、外筒６０の内壁に押し付けられ、撓んだ状態となっている。
【００３９】
この状態から、図１（ｂ）、（ｅ）および図４（ｃ）に示すように、ユーザが噴射操作部３０を押下すると（矢印Ｙ２）、噴射操作部３０の下端３０ｂが爪部４２の傾斜面４２ｂの上部と接し、傾斜面４２ｂに沿いながら下降する。これにより、図５（ａ）〜（ｃ）に示すように、ステム２３が傾斜および下降し、容器体２１の内容物が噴出孔３５から噴出される。このとき、第２の爪部４２は、下降する噴射操作部３０の下端３０ｂによって、図１（ｃ）のように押し退けられ、ステム２３から離れる方向（矢印Ｙ３、４）に回転移動するとともに、操作ツマミ４４の凹部４５と凸部４６との係合が解除される。第２の爪部４２の回転移動に伴い、連結されている第１の爪部４１は、再びロック状態に戻る方向に回転移動し始める。
【００４０】
内容物が噴射された後、ユーザが噴射操作部３０から手を離すと、板バネ３４およびバルブ内のスプリング２５のばね力により（図２（ｃ））、噴射操作部３０とステム２３が上昇して復帰する。弾性体５０は、第１の爪部４１をステム２３に近づく方向に押圧しているため（図５（ｂ）の矢印Ｄ１）、第１の爪部４１はステム２３側に押し戻され、再び、噴射操作部３０とマウンテンカップ２２ｂとの間に挿入される。これにより、噴射操作部３０の下降を規制する噴射ロック状態に戻る。
【００４１】
このように、噴射ユニット１０は、ユーザが噴射操作部３０を手で押して内容物を噴出させ、手を離すという操作を１回行う毎に噴射ロックが自動的にかかる構造である。そのため、噴射容器の保管時にユーザがロックをかけ忘れても、内容物の誤噴射を防ぐことができる。また、噴射ユニット１０は、噴射ロックが解除された状態で内容物を連続噴射できない構造のため、子供がいたずらに内容物を連続噴射させるのを防ぐことができる。
【００４２】
（噴射容器２０の全体構成）
噴射ユニット１０は、サイズや種類によらず、種々のバルブに取り付け可能である。ここで、噴射ユニット１０が備えられた噴射容器２０の全体構成について図２（ｃ）を参照して補足する。
【００４３】
容器体２１は、中心軸を中心とした回転体である。容器体２１に収納される内容物には、用途に応じた薬剤成分、溶剤、その他の添加物を必要に応じて適宜混合した液剤を含む。また内容物には、液剤に加えて、液剤を噴射させるための噴射剤として、液化ガスや液剤に可溶な圧縮ガスを含む。
【００４４】
バルブ２２は、容器体２１の上部開口を覆うマウンテンカップ２２ｂを備え、マウンテンカップ２２ｂの中央（容器体２１の中心軸上）に、ステム２３が設けられている。ステム２３は、上部の一部がバルブ２２より外側に位置し、残部が容器体２１内に位置しており、スプリング２５により上方に付勢されている。
【００４５】
噴射容器２０を構成する各部品は、内容物によって侵されない材料であれば、特に断らない限り、一般的な容器に用いられるプラスチック、ゴム、金属、セラミックス等の材料から用途に合わせて任意の材料を選択して用いることができる。
【符号の説明】
【００４６】
１０…噴射ユニット、２０…噴射容器、２１…容器体、２２…バルブ、２２ｂ…マウンテンカップ、２３…ステム、３０…噴射操作部、３１…押しボタン、３５…噴出口、４０…噴射ロック部、４１…第１の爪部、４２…第２の爪部、４３…回転軸、５０…弾性体
【図１】
2020029297.tif 000003
【図２】
2020029297.tif 000004
【図３】
2020029297.tif 000005
【図４】
2020029297.tif 000006
【図５】
2020029297.tif 000007